(57)【要約】      （修正有）【課題】信号の伝送が安定になるアンテナを含むホストコンピュータを提供する。【解決手段】本考案のホストコンピュータは、ハウジングと、ハウジングに収納される回路基板と、フィードラインとを備える。前記ハウジングは、壁部と、前記壁部と一体に形成される開放溝とを含む。前記フィードラインは、一端が回路基板に電気接続され、他端が開放溝に接続される。これにより、アンテナユニットがハウジングの内部に形成されて保護され、信号の伝送を確保できる。【選択図】図２
0003148214.tif 000002
【実用新案登録請求の範囲】
【請求項１】
壁部と、前記壁部と一体に形成される開放溝とを含むハウジングと、
ハウジングに収納される回路基板と、
一端が回路基板に電気接続され、他端が開放溝に接続されるフィードラインと、
を備えることを特徴とするホストコンピュータ。
【請求項２】
前記ハウジングは、頂壁と、頂壁から垂直に延在する複数の側壁とを有し、前記開放溝が頂壁に形成されることを特徴とする請求項１に記載のホストコンピュータ。
【請求項３】
前記回路基板には同軸コネクタが設けられ、前記フィードラインの一端が同軸コネクタに電気接続されて前記回路基板に電気接続されることを特徴とする請求項１に記載のホストコンピュータ。
【請求項４】
前記フィードラインが同軸ケーブルであり、金属製の編み層と、編み層の内に配置されるコンダクタとを有し、該編み層とコンダクタとは前記開放溝の両側に電気接続されることを特徴とする請求項１に記載のホストコンピュータ。
【請求項５】
前記開放溝の両側には第１、第２半田接続点が配置され、前記フィードラインのコンダクタが第１半田接続点に半田接続されることによってフィード点が形成され、フィードラインの編み層が第２半田接続点に半田接続されることによって接地点が形成され、前記フィード点と接地点と開放溝とによってアンテナユニットが形成されることを特徴とする請求項４に記載のホストコンピュータ。
【請求項６】
前記ハウジングには、前記開放溝のそばに配置されて前記フィードラインを前記ハウジングの壁部に固持するための固持部材が設けられることを特徴とする請求項１に記載のホストコンピュータ。
【請求項７】
前記固持部材は、ネジ体或いはペーストの方法によってハウジングに固着されることを特徴とする請求項６に記載のホストコンピュータ。
【考案の詳細な説明】
【技術分野】
【０００１】
本考案は、ホストコンピュータに関して、特にホストコンピュータに用いるアンテナに関するものである。
【背景技術】
【０００２】
従来技術のアンテナを含むホストコンピュータとして、特許文献１に開示されたホストコンピュータが知られ、このコンピュータは、ハウジングとアンテナとを備える。前記アンテナは、ホストコンピュータのハウジングの外部に形成される開放溝に取り付けられる。該アンテナは、金属製のブラケットと、ブラケットに形成されてブラケットと電気接続されるフィードラインとを備える。
【特許文献１】米国特許第６８６１９９５号明細書
【考案の開示】
【考案が解決しようとする課題】
【０００３】
特許文献１に示すアンテナは、ホストコンピュータの外側の開放溝に取り付けられる。このアンテナが破損し易くて、信号の伝送が不安定になる。
【０００４】
そこで本考案は、上述の従来技術の問題に鑑み、コンピュータに用いて、信号の伝送が安定になるアンテナを提供することを目的とする。
【課題を解決するための手段】
【０００５】
本考案のホストコンピュータは、ハウジングと、ハウジングに収納される回路基板と、フィードラインとを備える。前記ハウジングは、壁部と、前記壁部と一体に形成される開放溝とを含む。前記フィードラインは、一端が回路基板に電気接続され、他端が開放溝に接続される。
【考案の効果】
【０００６】
従来の技術に比較して本考案は以下の効果を有する。フィードラインは、一端がハウジングと一体に形成される開放溝と電気接続し、他端がハウジングに収納される回路基板と電気接続する。これにより、アンテナユニットがハウジングの内部に形成されて保護される。これにより、信号の伝送を確保できる。
【考案を実施するための最良の形態】
【０００７】
以下、この考案の実施の形態を添付の図を参照して説明する。
【０００８】
図１〜図３を参照すると、本考案に掲示されるホストコンピュータ１００は、ハウジング１と、ハウジング１に収納される回路基板２と、回路基板２に電気接続されるフィードライン３とを備える。
【０００９】
図１〜図２に示すように、ハウジング１は、上壁１１と、前壁１２と、左壁１３と、右壁１４と、後壁１５と、底壁１６と、これらの壁によって包囲される収納スペース１７とを含む。収納スペース１７には、回路基板２と複数の電子素子（図示せず）が収納される。上壁１１には、左壁１３と平行するように延在する開放溝１１０が形成される。
【００１０】
図２及び図３に示すように、回路基板２がハウジング１の左壁１３に取り付けられる。他の実施状態において、回路基板２は、ＷＬＡＮ（Ｗｉｒｅｌｅｓｓ  Ｌｏｃａｌ  Ａｒｅａ  Ｎｅｔｗｏｒｋ）カードである。該回路基板２には、同軸コネクタ２１或いは他の電子部材が実装される。フィードライン３の一端には同軸コネクタ２１と電気接続される接続部３１が設けられる。フィードライン３は、接続部３１が同軸コネクタ２１と電気接続されることによって、回路基板２に取り付けられる。
【００１１】
図３を参照すると、開放溝１１がアンテナ本体として動作する。開放溝１１０の左側と右側には、それぞれ第１半田接続点１１１，第２半田接続点１１２が設けられる。フィードライン３は同軸ケーブルであり、コンダクタ３２と、コンダクタ３２を被覆する第１絶縁層と（標号示せず）、編み層３３と、編み層３３を被覆する第２絶縁層（標号示せず）とを含む。コンダクタ３２が開放溝１１０の第１半田接続点１１１に半田接続されてフィード点が形成される。編み層３３が開放溝１１０の第２半田接続点１１２に半田接続されて接地点が形成される。前記フィード点と接地点と開放溝１１０とは、アンテナユニットを形成する。
【００１２】
ハウジング１の開放溝１１０の右側には、フィードライン３を固持するための固持部材３４が設けられる。該固持部材３４は、金属材料或いは樹脂材料によって製造される固持片３４である。固持片３４がフィードライン３を被覆する弓状に製造される。固持片３４の両端がネジ体或いはペーストする方法で上壁１１の内側面に固着される。
【００１３】
アンテナユニットの開放溝１１０の長さが１２０ｍｍであり、幅が５ｍｍである。アンテナユニットは、２．４ＧＨｚの周波数で動作し、例えばＩＥＥＥ８０２．１１ｎに対応する。アンテナユニットは、作業周波数によって開放溝１１０の寸法を調整できる。
【００１４】
ハウジング１と一体に形成される開放溝１１０によってアンテナユニットを製造する。アンテナユニットがハウジング１の内部に形成されて保護される。これにより、信号の伝送を確保できる。
【００１５】
以上、本考案について、最良の実施の形態を参照して詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００１６】
【図１】本考案のハウジングの斜視図である。
【図２】図１に示すハウジングの右壁を除く斜視図である。
【図３】図２に示すハウジングの標号部分の拡大図である。
【符号の説明】
【００１７】
１      ハウジング
１００  ホストコンピュータ
１１    上壁
１１０  開放溝
１１１  第１半田接続点
１１２  第２半田接続点
１２    前壁
１３    左壁
１４    右壁
１５    後壁
１６    底壁
１７    収納スペース
２      回路基板
２１    同軸コネクタ
３      フィードライン
３２    コンダクタ
３３    編み層
３４    固持片
【図１】
0003148214.tif 000003
【図２】
0003148214.tif 000004
【図３】
0003148214.tif 000005